(57)【特許請求の範囲】
【請求項１】
被取付体に着脱できる取付板部(11)を備えたクランプ取付枠(1) にケーブルクランプ部(2) とテンションメンバークランプ部(3) を一体に設けた光ファイバーケーブルのクランプ装置において、クランプ取付枠(1) の取付板部(11)に光ファイバー心線挿通用の窓孔(12)を形成したうえ該取付板部(11)の下方前方箇所にケーブルクランプ部(2) を設けて、該窓孔(12)の下端孔縁(12a) とケーブルクランプ部(2) との間に弧状の心線彎曲規制板部(13)を設けたことを特徴とする光ファイバーケーブルのクランプ装置。
【請求項２】
光ファイバー心線を保護するカバー体(4) を備えた請求項１に記載の光ファイバーケーブルのクランプ装置。
【請求項３】
被取付体がスプライスユニットであり、該スプライスユニットの背面及び側面に対して着脱可能とした請求項１又は２に記載の光ファイバーケーブルのクランプ装置。
【発明の詳細な説明】
【０００１】
【発明の属する技術分野】
本発明は、スプライスユニット等に光ファイバーケーブルを入線させる際に光ファイバーケーブルを固定するための光ファイバーケーブルのクランプ装置に関するものである。
【０００２】
【従来の技術】
従来の光ファイバーケーブルのクランプ装置は図１０及び図１１に示すように、光ファイバーケーブルを入線させるスプライスユニット６１のユニット本体６２の背面にケーブルクランプ部６３とテンションメンバークランプ部６４を直接取り付けたものであった。
【０００３】
【発明が解決しようとする課題】
ところが、前記のような従来の光ファイバーケーブルのクランプ装置は、ユニット本体６２の背面に一体としたものであるため、スプライスユニット６１をラック６５に取り付けて使用する場合にラック６５の設置箇所により側面から入線する場合にあっても光ファイバーケーブルを背面に引き回して行う必要があり作業性が悪いという問題がある。
【０００４】
【課題を解決するための手段】
前記の課題を解決するためになされた本発明の光ファイバーケーブルのクランプ装置は、被取付体に着脱できる取付板部を備えたクランプ取付枠にケーブルクランプ部とテンションメンバークランプ部を一体に設けた光ファイバーケーブルのクランプ装置において、クランプ取付枠の取付板部に光ファイバー心線挿通用の窓孔を形成したうえ該取付板部の下方前方箇所にケーブルクランプ部を設けて、該窓孔の下端孔縁とケーブルクランプ部との間に弧状の心線彎曲規制板部を設けたことを特徴とするものである。そして、光ファイバー心線を保護するカバー体(4) を備えことが好ましく、また、被取付体がスプライスユニットであり、該スプライスユニットの背面及び側面に対して着脱可能としてもよい。
【０００５】
【発明の実施の形態】
次に、本発明の好ましい実施の形態を図面に基づき説明する。
図１及び図２は本発明の光ファイバーケーブルのクランプ装置の図であり、１はスプライスユニットのユニット本体外面やラック本体等の被取付体５１にネジ止め等の手段で着脱できる取付板部１１を備えたクランプ取付枠である。該クランプ取付枠１には光ファイバーケーブル５５を固定するケーブルクランプ部２と光ファイバーケーブル５５の硬質のテンションメンバー５５ａを固定するテンションメンバークランプ部３が複数宛所要の間隔をおいて対向して設けられている。このクランプ取付枠１は、被取付体５１に取り付ける取付板部１１に光ファイバー心線挿通用の窓孔１２を形成したうえ該取付板部１１の下方前方箇所にケーブルクランプ部２を複数併設して、該窓孔１２の下端孔縁１２ａとケーブルクランプ部２の上端との間に弧状の心線彎曲規制板部１３を設け、又前記取付板部１１の上端にテンションメンバークランプ部３を前記ケーブルクランプ部２に対向して同数設けたものである。なお、１４は取付板部１１の両側に設けた止めネジ挿通用の孔である。
【０００６】
また、テンションメンバークランプ部３は取付板部１１の上端に別材である水平頂板部１５ａの両側に側板部１５ｂ、１５ｂを折曲してなる断面門型のチャンネル材１５を該一方の側板部１５ｂを添装して取り付けて他方の側板部１５ｂに設けたものとして前記ケーブルクランプ部取付部１３と同一面としているが、取付板部１１の上端に延長板部を連設してこの延長板部を折曲して形成してもよい。
【０００７】
図２に示す４はケーブルクランプ部２の上方位置より光ファイバーケーブル５５から露出させた光ファイバー心線５５ｂを保護するためのカバー体であり、該カバー体４は垂直板状のカバー本体４ａの上端に折曲して形成した上板部４ｂを前記チャンネル材１５の水平頂板部１５ａにネジ止め等の手段で着脱自在に取り付けられているが、的確に光ファイバ心線を保護できるうえ着脱自在できるものであれば形状はどのようなものでよい。
【０００８】
このように構成された光ファイバーケーブルのクランプ装置の使用例を図３〜図９に基づき説明する。
〔第１の使用例〕
先ず、図３〜図５に示すラック６５に取り付けた被取付体５１であるスプライスユニット本体５１ａの側面に設けたケーブル挿入口５１ｂに下方垂直方向から光ファイバーケーブル５５を引き込む場合の使用例について説明する。光ファイバーケーブルのクランプ装置をケーブルクランプ部２を下方側としてスプライスユニット本体５１ａの側面に設けたケーブル挿入口５１ｂに光ファイバー心線挿通用の窓孔１２を臨ませたうえ取付板部１１をスプライスユニット本体５１ａの側面にネジ止めして取り付ける。
【０００９】
そうして、下方垂直方向より引き入れた光ファイバーケーブル５５をケーブルクランプ部２により固定するとともに光ファイバーケーブル５５のテンションメンバー５５ａをテンションメンバークランプ部３により固定して、ケーブルクランプ部２の上部から露出させた光ファイバーケーブル５５の光ファイバー心線５５ｂを窓孔１２及びケーブル挿入口５１ｂを介してスプライスユニット本体５１ａに引き込むものである。この場合にケーブルクランプ部２とテンションメンバークランプ部３が複数宛所要の間隔をおいて対向して設けているのでテンションメンバー５５ａを曲げることなく固定できるので配線作業が容易となる。
【００１０】
さらに、ケーブルクランプ部２が窓孔１２を形成した取付板部１１の下方前方箇所に設けたものであるので、光ファイバー心線５５ｂはケーブルクランプ部２から窓孔１２の間を機能を損なうことのない曲率半径以下に湾曲させずに引き込むことができるものである。また、窓孔１２の下端孔縁１２ａとケーブルクランプ部２の上端との間に弧状の心線彎曲規制板部１３を設けておくことにより作業に熟練していなくとも光ファイバー心線５５ｂの機能を損なうことのない曲率半径以下に湾曲さることなく引き込むことができる。なお、光ファイバーケーブル５５の固定を行ったらカバー体４で光ファイバー心線５５ｂを覆えば光ファイバー心線５５ｂをより的確に保護できるものである。
【００１１】
〔第２の使用例〕
図６は第２の使用例を示す平面図であり、ラック６５に取り付けた被取付体５１であるスプライスユニット本体５１ａの背面に設けたケーブル挿入口５１ｂに下方垂直方向から光ファイバーケーブル５５を引き込む場合の使用例であり、その他の構成及び光ファイバーケーブルのクランプ装置の取り付け方及びケーブルクランプ部２とテンションメンバークランプ部３による光ファイバーケーブル５５の固定は前記第１の使用例と同様であるので説明を省略する。
以上説明した第１の使用例、第２の使用例では光ファイバーケーブルのクランプ装置をスプライスユニット本体５１ａの側面及び背面に取り付けたものであるが、スプライスユニット本体５１ａの両側面及び背面の必要な箇所を選択して着脱可能とした光ファイバーケーブルのクランプ装置であってもよい。
【００１２】
〔第３の使用例〕
図７は第３の使用例を示す側面図であり、ラック６５に取り付けた被取付体５１であるスプライスユニット本体５１ａの側面又は背面に設けたケーブル挿入口５１ｂに上方垂直方向から光ファイバーケーブル５５を引き込む場合の使用例であり、光ファイバーケーブルのクランプ装置を前記第１及び第２の使用例とは逆にケーブルクランプ部２を上方側として側面又は背面に設けたケーブル挿入口５１ｂに光ファイバー心線挿通用の窓孔１２を臨ませたうえ取付板部１１をスプライスユニット本体５１ａの側面又は背面にネジ止めして取り付けものであり、その他は前記第１及び第２の使用例と同様であるので説明を省略する。
【００１３】
〔第４の使用例〕
図８及び図９は第４の使用例を示す側面図及び正面図であり、この使用例は１個の光ファイバーケーブルのクランプ装置により複数個即ち２個を重ねたスプライスユニットの各スプライスユニット本体５１ａ内にそれぞれ光ファイバーケーブル５５を下方垂直方向から引き込む場合の使用例である。図８及び図９に示すように光ファイバーケーブルのクランプ装置をケーブルクランプ部２を下方側として下段のスプライスユニット本体５１ａの側面に設けたケーブル挿入口５１ｂに光ファイバー心線挿通用の窓孔１２を臨ませたうえ取付板部１１をスプライスユニット本体５１ａの側面にネジ止めして取り付ける。
【００１４】
そうして、下方垂直方向より引き入れた１本の光ファイバーケーブル５５をケーブルクランプ部２により固定するとともに光ファイバーケーブル５５のテンションメンバー５５ａをテンションメンバークランプ部３により固定して、ケーブルクランプ部２の上部から露出させた光ファイバーケーブル５５の光ファイバー心線５５ｂを窓孔１２及びケーブル挿入口５１ｂを介して下段のスプライスユニット本体５１ａに引き込む。また、他の１本の光ファイバーケーブル５５をケーブルクランプ部２により固定するとともに光ファイバーケーブル５５のテンションメンバー５５ａをテンションメンバークランプ部３によりクランプして、ケーブルクランプ部２の上部から露出させた光ファイバーケーブル５５の光ファイバー心線５５ｂをテンションメンバークランプ部３の上方を通過させたうえ上段のスプライスユニット本体５１ａの側面に設けたケーブル挿入口５１ｂから引き込むものである。
【００１５】
従って、従来は各ユニットごとに必要であった光ファイバーケーブルのクランプ装置は、本発明の第４の使用例のようにスプライスユニットに入線する光ファイバーケーブルの数が１個のクランプ装置で対応可能であれば、下段のスプライスユニットのみに設ければよいのでクランプ装置の数を減らすことができる。なお、これとは逆に上方垂直方向より引き入れる場合には光ファイバーケーブルのクランプ装置を上下を反対として上段のスプライスユニット本体５１ａの側面に取り付けることは勿論である。また、この使用例ではカバー体４を外した状態で使用しているが、カバー体４の上板部４ｂに光ファイバー心線５５ｂを挿通する切欠孔等の孔を開けておけば、特にカバー体４を取り外すことなく使用できるものである。
【００１６】
【発明の効果】
以上に説明したように、光ファイバーケーブルのクランプ装置は被取付体に着脱できるクランプ取付枠をもって、被取付体であるラックのほかスプライスユニット本体の側面や背面に取り付けできるものであるので、光ファイバーケーブルの入線箇所に応じた種々の使用が可能である。しかも、光ファイバーケーブルの光ファイバー心線を機能を損なうことのない曲率半径以下に湾曲させずに引き込むことができるもので配線作業に熟練を必要することのないものである。
従って、従来の光ファイバーケーブルのクランプ装置の問題点を解決したものとして業界にもたらす益大なものである。
【図面の簡単な説明】
【図１】本発明の実施の形態を示す正面図である。
【図２】本発明の実施の形態を示す一部切欠側面図である。
【図３】本発明の光ファイバーケーブルのクランプ装置の第１の使用例を示す側面図である。
【図４】本発明の光ファイバーケーブルのクランプ装置の第１の使用例を示す正面図である。
【図５】本発明の光ファイバーケーブルのクランプ装置の第１の使用例を示す平面図である。
【図６】本発明の光ファイバーケーブルのクランプ装置の第２の使用例を示す平面図である。
【図７】本発明の光ファイバーケーブルのクランプ装置の第３の使用例を示す側面図である。
【図８】本発明の光ファイバーケーブルのクランプ装置の第４の使用例を示す側面図である。
【図９】本発明の光ファイバーケーブルのクランプ装置の第４の使用例を示す正面図である。
【図１０】従来例を示す平面図である。
【図１１】従来例を示す側面図である。
【符号の説明】
１  クランプ取付枠
２  ケーブルクランプ部
３  テンションメンバークランプ部
４  カバー体
11  取付板部
12  窓孔
12a 窓孔の下端孔縁
13  心線彎曲規制板部
【図１】
0003847042.tif 000002
【図２】
0003847042.tif 000003
【図３】
0003847042.tif 000004
【図４】
0003847042.tif 000005
【図５】
0003847042.tif 000006
【図６】
0003847042.tif 000007
【図７】
0003847042.tif 000008
【図８】
0003847042.tif 000009
【図９】
0003847042.tif 000010
【図１０】
0003847042.tif 000011
【図１１】
0003847042.tif 000012